(57)【要約】【課題】一部の装置に故障が発生したとしても、起動処理が長くなるのを回避できるとともに、その他の装置に悪影響を及ぼすのを回避できるディスク再生装置を提供する。【解決手段】本発明のディスク再生装置は、所定の起動手順によりディスク再生装置の起動処理を行う起動処理部と、ディスク再生装置に含まれる装置の故障を検知し、故障の検知回数を装置毎にカウントする故障検知部とを備える。さらに、故障検知部により故障が検知された回数が所定の閾値を超える装置である故障装置を判別し、故障装置の検査及び起動を起動手順から省くよう起動処理部を制御する起動制御部を備える。故障検知部は、故障装置を示す故障検知情報を生成して記録部に記録する。また起動制御部は、記録部より故障検知情報を読み出し、故障検知情報に示されている故障装置の検査及び起動を起動手順から省くよう、起動処理部を制御する。【選択図】図３
2012248262.tif 000002
【特許請求の範囲】
【請求項１】
情報が記録されたディスクの再生を行うディスク再生装置において、
予め定められた起動手順により前記ディスク再生装置の起動処理を行う起動処理部と、
前記ディスク再生装置に含まれる装置の故障を検知し、故障の検知回数を装置毎にカウントする故障検知部と、
前記故障検知部により故障が検知された回数が予め定められた閾値を超える装置である故障装置を判別し、前記故障装置の起動を前記起動手順から省くよう前記起動処理部を制御する起動制御部とを備えること
を特徴とするディスク再生装置。
【請求項２】
記録部を備え、
前記故障検知部は、前記故障装置を示す故障検知情報を生成して前記記録部に記録し、
前記起動制御部は、前記記録部より前記故障検知情報を読み出し、前記故障検知情報に示されている前記故障装置の起動を前記起動手順から省くよう前記起動処理部を制御すること
を特徴とする請求項１に記載のディスク再生装置。
【請求項３】
前記故障検知部は、前記起動処理において故障が検知された回数が予め定められた閾値を上回る装置を、前記故障装置とすること
を特徴とする請求項２に記載のディスク再生装置。
【請求項４】
前記故障検知部は、前記ディスク再生装置に含まれる装置を予め定められた機能単位で複数の装置群に分別し、故障の検知回数を前記装置群毎にカウントし、
前記起動制御部は、故障検知部により故障が検知された回数が予め定められた閾値を超える前記装置群の起動を前記起動手順から省くよう前記起動処理部を制御すること
を特徴とする請求項３に記載のディスク再生装置。
【請求項５】
前記起動処理部は、起動処理の対象とする前記装置群が処理ステップ毎に示されている前記起動手順を用いて起動処理を行い、
前記起動制御部は、故障が検知されている前記装置群を対象とする処理ステップをスキップするよう前記起動処理部を制御すること
を特徴とする請求項４に記載のディスク再生装置。
【請求項６】
前記起動処理部は、前記故障装置の起動を前記起動手順から省いて起動処理を行った場合に、起動処理が変更されたことを示す通知を行うこと
を特徴とする請求項５に記載のディスク再生装置。
【発明の詳細な説明】
【技術分野】
【０００１】
本発明は、一般家庭において使用されるディスク再生装置に関するものであり、特に複数の機能を備えたディスク再生装置に関する。
【背景技術】
【０００２】
近年、デジタル技術の多機能化、多様化により、ＤＶＤ（Digital Versatile Disc）レコーダやＤＶＤプレーヤ等の様々なディスク再生装置が普及している。これらのディスク再生装置は、ＤＶＤに記録されている画像／音声デジタルデータをデコードすることにより、画像／音声信号をテレビジョン装置やモニタ、又はスピーカ等に出力する。
【０００３】
また近年のディスク再生装置は、光学ドライブによる光ディスクの再生だけでなく、ＨＤＤ（Hard Disk Drive）へのデータ保存や、ネットワークを利用した動画再生など、様々な機能を備えたものが普及している。
【０００４】
このような機能の多様化にともない、装置内部の故障検知に関しても、機能単位で行うことが必要となってきている。例えば、光学ドライブが故障した場合、光ディスクの再生機能は損なわれるが、ネットワークサービスの利用等は実施できるため、ネットワークサービスのみを使用したいユーザによっては問題がない場合もある。
【０００５】
このため、装置の一部に故障が発生したとしても、起動時等に自己診断を行い、故障していない装置による縮退動作を行う装置が開示・提案されている（例えば特許文献１及び特許文献２を参照）。
【先行技術文献】
【特許文献】
【０００６】
【特許文献１】特開平４−３２８３２７号公報
【特許文献２】特開２００３−３６５９２号公報
【発明の概要】
【発明が解決しようとする課題】
【０００７】
しかしながら上記の技術では、起動毎に故障装置を検査しているため、故障状態からの復帰の見込みがない装置が存在する場合に、起動時に常にリトライ動作が発生し、起動時間が長くなる要因となっていた。
【０００８】
また、リトライ動作の繰り返しにより、正常である装置に負荷がかかり、新たな故障の原因となる可能性もあった。例えば、光ピックアップのアクチュエータに故障が発生しており、且つリトライ動作によりアクチュエータに過剰な電圧が印加され続けた結果、発熱や引火につながる可能性があった。
【０００９】
本発明は、上記の問題を鑑みてなされたものであり、複数の機能を備えたディスク再生装置であって、一部の装置に故障が発生したとしても、起動処理が不必要に長くなるのを回避できるとともに、故障装置がその他の装置に悪影響を及ぼすのを回避することができるディスク再生装置を提供することを目的とする。
【課題を解決するための手段】
【００１０】
上記目的を達成するために本発明のディスク再生装置は、情報が記録されたディスクの再生を行うディスク再生装置において、予め定められた起動手順により前記ディスク再生装置の起動処理を行う起動処理部と、前記ディスク再生装置に含まれる装置の故障を検知し、故障の検知回数を装置毎にカウントする故障検知部と、前記故障検知部により故障が検知された回数が予め定められた閾値を超える装置である故障装置を判別し、前記故障装置の起動を前記起動手順から省くよう前記起動処理部を制御する起動制御部とを備えることを特徴としている。
【００１１】
これによると、本発明のディスク再生装置は、情報が記録されたディスクの再生を行うディスク再生装置において、所定の起動手順によりディスク再生装置の起動処理を行う起動処理部と、ディスク再生装置に含まれる装置の故障を検知し、故障の検知回数を装置毎にカウントする故障検知部とを備える。さらに、故障検知部により故障が検知された回数が所定の閾値を超える装置である故障装置を判別し、故障装置の検査及び起動を起動手順から省くよう起動処理部を制御する起動制御部を備える。
【００１２】
また上記目的を達成するために本発明のディスク再生装置は、記録部を備え、前記故障検知部は、前記故障装置を示す故障検知情報を生成して前記記録部に記録し、前記起動制御部は、前記記録部より前記故障検知情報を読み出し、前記故障検知情報に示されている前記故障装置の起動を前記起動手順から省くよう前記起動処理部を制御することを特徴とする。
【００１３】
これによると、ディスク再生装置は記録部を備える。また故障検知部は、故障装置を示す故障検知情報を生成して記録部に記録する。また起動制御部は、記録部より故障検知情報を読み出し、故障検知情報に示されている故障装置の検査及び起動を起動手順から省くよう、起動処理部を制御する。
【００１４】
また上記目的を達成するために本発明のディスク再生装置が備える前記故障検知部は、前記起動処理において故障が検知された回数が予め定められた閾値を上回る装置を、前記故障装置とすることを特徴とする。
【００１５】
これによると、故障検知部は、起動処理において故障が検知された回数が所定の閾値を上回る装置を、故障装置とする。
【００１６】
また上記目的を達成するために本発明のディスク再生装置が備える前記故障検知部は、前記ディスク再生装置に含まれる装置を予め定められた機能単位で複数の装置群に分別し、故障の検知回数を前記装置群毎にカウントし、前記起動制御部は、故障検知部により故障が検知された回数が予め定められた閾値を超える前記装置群の起動を前記起動手順から省くよう前記起動処理部を制御することを特徴とする。
【００１７】
これによると、故障検知部は、ディスク再生装置に含まれる装置を予め定められた機能単位で複数の装置群に分別する。そして故障の検知回数を、装置群毎にカウントする。起動制御部は、故障検知部により故障が検知された回数が所定の閾値を超える装置群に関して、検査及び起動を起動手順から省くよう、起動処理部を制御する。
【００１８】
また上記目的を達成するために本発明のディスク再生装置が備える前記起動処理部は、起動処理の対象とする前記装置群が処理ステップ毎に示されている前記起動手順を用いて起動処理を行い、前記起動制御部は、故障が検知されている前記装置群を対象とする処理ステップをスキップするよう前記起動処理部を制御することを特徴とする。
【００１９】
これによると、起動処理部は、起動処理の対象とする装置群が処理ステップ毎に示されている起動手順を用いて、起動処理を行う。起動制御部は、故障が検知されている装置群を対象とする処理ステップをスキップするよう、起動処理部を制御する。
【００２０】
また上記目的を達成するために本発明のディスク再生装置が備える前記起動処理部は、前記故障装置の起動を前記起動手順から省いて起動処理を行った場合に、起動処理が変更されたことを示す通知を行うことを特徴とする。
【００２１】
これによると、起動処理部は、故障装置の検査及び起動を起動手順から省いて起動処理を行った場合に、起動処理が変更されたことを示す通知を行う。
【発明の効果】
【００２２】
本発明によれば、所定回数を超えて故障が検知された装置を、起動手順における検査／起動の対象外としている。これにより、一部の装置に故障が発生したとしても、不要なリトライ動作により起動時間が長くなるのを回避することができる。また、不要なリトライ動作により、別の装置の故障を引き起こすといった事態を回避することができる。
【図面の簡単な説明】
【００２３】
【図１】本発明のディスク再生装置が備える機能部の構成を示すブロック図である。
【図２】本発明のディスク再生装置の内部構成を示すブロック図である。
【図３】本発明の故障検知処理を示すフロー図である。
【図４】本発明のディスク再生装置が出力する設定画面を示す画面図である。
【図５】本発明のディスク再生装置が出力する通知画面を示す画面図である。
【発明を実施するための形態】
【００２４】
以下に本発明の実施形態を、図面を参照しながら説明する。なお、ここで示す実施形態は一例であり、本発明はここに示す実施形態に限定されるものではない。
〈１．内部構成について〉
【００２５】
図２は、本発明の一実施形態に係るＨＤＤレコーダ１（＝ディスク再生装置）の内部構成を示すブロック図である。なお、図２における矢印線は画像／音声データの流れを示している。また、矢印のない直線は、制御部１１が各装置に対する制御信号等を送受信するための通信バスを示している。
【００２６】
ＨＤＤレコーダ１は少なくとも、制御部１１、メモリ１２、操作部１３、フラッシュメモリ１４（＝記録部）、ＨＤＤ１５、光ディスクドライブ１６、放送受信部１７、信号処理部１８、ＯＳＤ（On-Screen Display）処理部１９、通信Ｉ／Ｆ（Interface）２０、及び外部接続端子２１を含むように構成されている。なお外部接続端子２１により接続される表示装置として、ディスプレイ２が存在する。
【００２７】
制御部１１は、ＨＤＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する起動処理部１１ａ〜設定部１１ｅ（図１）を備えている。
【００２８】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００２９】
操作部１３は、ユーザがＨＤＤレコーダ１に対して、画像／音声の再生指示等を行うためのものである。操作部１３は、例えばＨＤＤレコーダ１のハウジングに設けられた複数のボタンや、不図示のリモコン装置等を含む。操作部１３はこれらの装置により、ユーザ操作を受け付ける。ユーザ操作が受け付けられると、制御部１１は、操作内容に基づいて再生処理や記録処理等を行う。
【００３０】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３１】
ＨＤＤ１５は、デジタルデータを記録する磁気記録媒体である。本実施形態では主に、放送波に含まれる画像／音声データから生成される録画データや、圧縮処理により生成された圧縮録画データを記録するのに用いられる。
【００３２】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３３】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３４】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００３５】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００３６】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２等に出力する場合は、外部接続端子２１へ与えられる。
【００３７】
ＯＳＤ処理部１９は、画像信号を生成する機能部である。ＯＳＤ処理部１９は、ＨＤＤレコーダ１が出力すべき情報をユーザが視認できる画像データに変換し、変換した画像データをディスプレイ２に表示するための画像信号を生成する。生成された画像信号は、外部接続端子２１より出力される。
【００３８】
通信Ｉ／Ｆ２０は、ＨＤＤレコーダ１を通信ネットワークと接続するための物理的なインタフェースである。通信Ｉ／Ｆ２０は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００３９】
外部接続端子２１は、例えばＨＤＭＩ（High Definition Multimedia Interface）端子やＵＳＢ（Universal Serial Bus）端子等を含む、複数の入出力端子からなるインタフェースである。外部接続端子２１はこれらの入出力端子を用いて、ＨＤＤレコーダ１と外部の装置、例えばディスプレイ２を接続し、デジタル信号またアナログ信号の入出力を行う。
【００４０】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４１】
ブロードバンドルータ３は、複数のＩＰネットワークを相互接続するためのネットワーク中継装置である。具体的には、ＯＳＩ（Open Systems Interconnection）参照モデルでいうネットワーク層（第３層）やトランスポート層（第４層）等のプロトコルを解析して転送を行う。これにより例えば、有線ＬＡＮとインターネットとの二つのＩＰネットワークを相互に接続する役割を持つ。
〈２．機能部の構成について〉
【００４２】
ここで、本発明の一実施形態に係るＨＤＤレコーダ１が本発明の故障検知処理を実施するための各機能部の関係を、図１のブロック図を用いながら説明する。なお、図１における破線矢印線は、制御信号の流れを示している。
【００４３】
図１に示すように本発明の故障検知処理は、制御部１１が備える起動処理部１１ａ、故障検知部１１ｂ、起動制御部１１ｃ、通信制御部１１ｄ、及び設定部１１ｅにより実施される。
【００４４】
起動処理部１１ａは、ＨＤＤレコーダ１の主電源が起動された場合に、予め定められた起動シーケンス（＝起動手順）で起動処理を行うよう、ＨＤＤレコーダ１の各部を制御する。
【００４５】
起動処理部１１ａは例えば、ＨＤＤレコーダ１に含まれる各装置を機能単位でまとめたモジュール（＝装置群）毎に、検査／起動を行う。従って起動シーケンスの各処理ステップには予め、検査／起動の対象とするモジュールを示す識別情報が含まれている。
【００４６】
モジュールの単位としては、例えば再生機能やネットワーク機能等の各機能に対応する装置群を、一モジュールとする。図２の例では、光ディスクドライブ１６や通信Ｉ／Ｆ２０が、一モジュールとなる。ただしモジュールの決定方法はこれに限定されるものではなく、所定のサービスを利用できる機能単位であれば、これよりも小さい、或いは大きい単位でモジュール化する形態でもよい。
【００４７】
故障検知部１１ｂは、ＨＤＤレコーダ１の各部に故障が発生しているか否かの監視を行う。具体的には故障検知部１１ｂは、ＨＤＤレコーダ１の起動時において、各モジュールの検査を行う。そして故障を検知した場合に、モジュール毎の故障検知回数を数えるカウンタをカウントアップする。カウントアップされた回数が所定回数を超えたモジュールが発生した場合に、該当モジュールを示す故障検知報を、フラッシュメモリ１４等に記録する。
【００４８】
起動制御部１１ｃは、起動処理部１１ａにより起動処理が開始された場合に、上記の故障検知報を読み出して参照し、故障が発生しているモジュールを判別する。そして該当モジュールを対象としている処理ステップを起動シーケンスから除外して起動処理を行うよう、起動処理部１１ａを制御する。
【００４９】
通信制御部１１ｄは、通信Ｉ／Ｆ２０により接続された外部装置、例えばメールサーバや情報配信サーバ等と相互通信を行うための通信制御を行う。これにより、電子メールの送受信を行ったり、各種情報コンテンツを取得したりすることが可能である。また通信Ｉ／Ｆ２０が無線アンテナを備える場合、無線通信網を介する無線通信の制御を行う役割も持つ。
【００５０】
設定部１１ｅは、各機能部が実施する処理に関する各種設定を、ユーザより受け付ける。例えば、起動制御部１１ｃによる故障モジュールを対象外とした起動処理の実行有無や、通信制御部１１ｄが通信を行う通信先の設定等を受け付ける。なお設定内容を示す設定情報は、フラッシュメモリ１４またはＨＤＤ１５に記録される。
【００５１】
具体的には設定部１１ｅは、例えば図４に示す設定画面２００を表示するための画像信号を生成するよう、ＯＳＤ処理部１９を制御する。そして生成された画像信号を、外部接続端子２１を介してディスプレイ２へ出力する。これにより、設定画面２００がディスプレイ２に表示される。
【００５２】
図４に示すように設定画面２００には、メッセージウィンド２０１及びカーソル２０２が含まれている。ユーザは操作部１３またはリモコン１００を用いてカーソル２０２を移動させることにより、メッセージウィンド２０１に含まれる「はい」ボタン、または「いいえ」ボタンを選択できる。
【００５３】
「はい」ボタンにカーソル２０２があわせられている状態で操作部１３に含まれる決定ボタン（不図示）が押下されると、設定部１１ｅは、次に説明する故障検知処理を実施するよう、故障検知部１１ｂ及び起動制御部１１ｃに指示する。
〈３．故障検知処理について〉
【００５４】
ここで、本発明の一実施形態に係るＨＤＤレコーダ１が実施する本発明の故障検知処理を、図３のフロー図を用いながら説明する。図３に示す処理は、ＨＤＤレコーダ１の電源が起動された時点で開始される。
【００５５】
本処理の開始後、故障検知部１１ｂはステップＳ１１０において、ＨＤＤレコーダ１に含まれる各装置の検査、起動確認を行う。
【００５６】
次に故障検知部１１ｂはステップＳ１２０において、上記の結果、故障が発生している装置を検知したか否かにより処理の分岐を行う。故障装置を検知していない場合、起動処理部１１ａは通常の起動手順により起動処理を行い、本処理を終了する。故障装置を検知した場合、故障検知部１１ｂはステップＳ１３０において、故障を検知した装置が含まれるモジュール（以下、「故障検知モジュール」という）の故障検知回数を、カウントアップする。
【００５７】
次に起動制御部１１ｃはステップＳ１４０において、故障検知モジュールの故障検知回数が、所定の閾値を超えたか否かを確認する。具体的には、過去の故障検知回数を示す故障検知報をフラッシュメモリ１４より読み出し、閾値と比較することにより確認を行う。なお故障検知モジュールが複数存在する場合、全ての故障検知モジュールに対して、個別に確認を行う。
【００５８】
次に起動制御部１１ｃはステップＳ１５０において、故障検知回数が閾値を超える故障検知モジュールが存在するか否かにより処理の分岐を行う。閾値を超える故障検知モジュールが存在しない場合、起動制御部１１ｃはステップＳ１５１において、今回故障が検知されたモジュールを、今回の起動に限り起動対象対として起動処理を行うよう、起動処理部１１ａに指示する。これにより次回電源起動時まで、該当する故障検知モジュールにより実施される機能は、ユーザによる使用が不可能となる。
【００５９】
閾値を超える故障検知モジュールが存在する場合、起動制御部１１ｃはステップＳ１６０において、該当モジュールを継続的に起動対象外とするよう、起動処理部１１ａに指示する。これにより起動処理部１１ａは、以降の起動処理において、該当モジュールの起動を行わない。
【００６０】
より具体的には、起動シーケンスの各ステップには予め、各ステップが検査／起動対象とするモジュールを示す識別情報が含まれている。起動処理部１１ａは、各ステップの実行時に、この識別情報が示すモジュールの故障状態を確認することにより、該当ステップをスキップするか否かを判断して起動シーケンスを実行する。
【００６１】
また起動制御部１１ｃは、該当モジュールを継続的に検査対象外とするよう、故障検知部１１ｂに指示する。これにより故障検知部１１ｂは、ステップＳ１１０を実施する際に、該当モジュールの検査を行わないようにする。
【００６２】
次に起動処理部１１ａはステップＳ１７０において、図５に示す通知画面３００を表示するための画像信号を生成するよう、ＯＳＤ処理部１９を制御する。そして生成された画像信号を、外部接続端子２１を介してディスプレイ２へ出力する。これにより、通知画面３００がディスプレイ２に表示される。
【００６３】
図５に示すように通知画面３００には、メッセージウィンド３０１及びカーソル３０２が含まれている。メッセージウィンド３０１には、故障が検知されたことと、故障箇所に関する機能を制限して起動したことを示すメッセージが表示されている。さらに、次回起動時に今回と同様の故障が検知された場合に、再び同じ通知画面３００を表示するか否かの選択を促すメッセージが表示されている。
【００６４】
ユーザは操作部１３またはリモコン１００を用いてカーソル３０２を移動させることにより、メッセージウィンド３０１に含まれる「はい」ボタン、または「いいえ」ボタンを選択できる。
【００６５】
「はい」ボタンにカーソル３０２があわせられている状態で操作部１３に含まれる決定ボタン（不図示）が押下されると、故障箇所が故障状態より復帰しない限り、次回起動時も同様の通知画面３００が表示される。「いいえ」ボタンにカーソル３０２があわせられている状態で操作部１３に含まれる決定ボタンが押下されると、次回起動時は知画面３００が表示されない。ただし、新たな故障箇所が検知された場合は、通知画面３００が表示される。
【００６６】
以上に説明した本実施形態によれば、起動時において所定回数を超えて故障が検知されたモジュールを、次回起動時から検査／起動の対象外とする。これにより、故障検知モジュールに含まれる装置へのリトライにより、起動時間が長くといった事態を回避できる。また、リトライにより故障装置に負荷がかかり、新たな故障の原因となるといった事態を回避できる。
［その他の実施の形態］
【００６７】
以上、好ましい実施の形態及び実施例を挙げて本発明を説明したが、本発明は必ずしも上記実施の形態に限定されるものではなく、その技術的思想の範囲内において様々に変形して実施することができる。
【００６８】
従って本発明は、以下の形態にも適用可能である。
【００６９】
（Ａ）上記実施形態では、本発明のディスク再生装置の一例としてＨＤＤレコーダ１を例に挙げているが、起動処理を必要とするディスク再生装置であれば、これ以外の装置において本発明を実施する形態でもよい。例えば、ＤＶＤ（Digital Versatile Disc）レコーダやＤＶＤプレーヤ等を用いる形態であってもよい。
【００７０】
（Ｂ）上記実施形態では、本発明の故障検知処理に関わる各機能部が、マイクロプロセッサ等の演算処理装置上でプログラムを実行することにより実現されているが、各機能部が複数の回路により実現される形態でもよい。
【００７１】
（Ｃ）上記実施形態では、故障検知部１１ｂが故障を検知して故障回数をカウントするのを起動処理時に行っているが、起動後の通常動作時、例えば光ディスクの再生時等において故障が検知された場合も、故障検知モジュールの故障回数をカウントアップする形態でもよい。
【符号の説明】
【００７２】
１      ＨＤＤレコーダ（ディスク再生装置）
１１    制御部
１１ａ  起動処理部
１１ｂ  故障検知部
１１ｃ  起動制御部
１１ｄ  通信制御部
１１ｅ  設定部
１２    メモリ
１３    操作部
１４    フラッシュメモリ（記録部）
１５    ＨＤＤ
１６    光ディスクドライブ
１７    放送受信部
１８    信号処理部
１９    ＯＳＤ処理部
２０    通信Ｉ／Ｆ
２１    外部接続端子
【図１】
2012248262.tif 000003
【図２】
2012248262.tif 000004
【図３】
2012248262.tif 000005
【図４】
2012248262.tif 000006
【図５】
2012248262.tif 000007